【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
トナーを用いて記録材に画像を形成する画像形成装置であって、
装置本体と、
駆動装置と、
制御手段と、
前記装置本体の装着部に装着可能であり、トナーを収容し、収容されたトナーを排出する排出部を有し、前記駆動装置から供給される駆動力により回転駆動されるトナーボトルと、
前記トナーボトルが所定回数回転したことに関する情報を検知する検知部と、
前記トナーボトルに設けられ、前記排出部が遮蔽される遮蔽位置と前記排出部が開放される開放位置との間で移動可能なシャッター部材と、
前記トナーボトルに設けられ、前記装着部に前記トナーボトルが装着された状態で前記駆動力が入力されるボトルギヤと、
前記装置本体に設けられ、前記装着部に前記トナーボトルが装着された状態で前記ボトルギヤの回転動作に伴って前記シャッター部材を前記遮蔽位置から前記開放位置に移動させるための移動機構と、
前記トナーボトルに設けられ、前記装着部に前記トナーボトルが装着された状態で前記ボトルギヤの回転動作に伴って前記排出部から所定量のトナーを排出するための排出機構と、
を備え、
前記制御手段は、前記ボトルギヤに前記駆動力が入力されてから、前記トナーボトルが前記所定回数回転したことに関する情報を前記検知部が検知するまでの間の、前記ボトルギヤに入力される前記駆動力の大きさよりも、前記ボトルギヤに前記駆動力が入力されてから、前記トナーボトルが前記所定回数回転したことに関する情報を前記検知部が検知した後、前記排出機構が前記排出部から前記所定量のトナーを最初に排出する際の、前記ボトルギヤに入力される前記駆動力の大きさの方が小さくなるように、前記駆動装置を制御する
ことを特徴とする画像形成装置。
【請求項２】
前記制御手段は、前記ボトルギヤに前記駆動力が入力されてから、前記トナーボトルが前記所定回数回転したことに関する情報を前記検知部が検知した後、前記検知部からの信号に基づいて前記トナーボトルの回転速度が所定速度となるように前記駆動装置を制御する
ことを特徴とする請求項１に記載の画像形成装置。
【請求項３】
前記排出機構は、前記トナーボトルの回転軸方向に伸縮して前記排出部から前記所定量のトナーを排出するポンプ部と、前記ボトルギヤに入力される前記駆動力を前記トナーボトルの回転軸方向の運動に変換して前記ポンプ部に伝達するカム機構を有し、
前記装着部に前記トナーボトルが装着された状態で前記ボトルギヤの回転動作に伴って前記ポンプ部の伸縮動作が実行されることにより、前記排出部から前記所定量のトナーを排出する
ことを特徴とする請求項１又は２に記載の画像形成装置。
【請求項４】
前記制御手段は、前記ボトルギヤに前記駆動力が入力されてから、前記トナーボトルが前記所定回数回転したことに関する情報を前記検知部が検知した後、前記検知部からの信号に基づいて前記ポンプ部の１回の伸縮動作にかかる時間が所定時間となるように前記駆動装置を制御する
ことを特徴とする請求項３に記載の画像形成装置。
【請求項５】
トナーを用いて記録材に画像を形成する画像形成装置であって、
装置本体と、
駆動装置と、
制御手段と、
前記装置本体の装着部に装着可能であり、トナーを収容し、収容されたトナーを排出する排出部を有し、前記駆動装置から供給される駆動力により回転駆動されるトナーボトルと、
前記トナーボトルの回転に関する情報を検知する検知部と、
前記トナーボトルに設けられ、前記排出部が遮蔽される遮蔽位置と前記排出部が開放される開放位置との間で移動可能なシャッター部材と、
前記トナーボトルに設けられ、前記装着部に前記トナーボトルが装着された状態で前記駆動力が入力されるボトルギヤと、
前記装置本体に設けられ、前記装着部に前記トナーボトルが装着された状態で前記ボトルギヤの回転動作に伴って前記シャッター部材を前記遮蔽位置から前記開放位置に移動させるための移動機構と、
前記トナーボトルに設けられ、前記装着部に前記トナーボトルが装着された状態で前記ボトルギヤの回転動作に伴って前記排出部から所定量のトナーを排出するための排出機構と、
を備え、
前記制御手段は、前記ボトルギヤに前記駆動力が入力されてから前記検知部が前記トナーボトルの回転に関する情報を所定回数検知するまでの間の、前記ボトルギヤに入力される前記駆動力の大きさよりも、前記ボトルギヤに前記駆動力が入力されてから前記検知部が前記トナーボトルの回転に関する情報を前記所定回数検知した後、前記排出機構が前記排出部から前記所定量のトナーを最初に排出する際の、前記ボトルギヤに入力される前記駆動力の大きさの方が小さくなるように前記駆動装置を制御する
ことを特徴とする画像形成装置。
【請求項６】
前記制御手段は、前記ボトルギヤに前記駆動力が入力されてから前記検知部が前記トナーボトルの回転に関する情報を前記所定回数検知した後、前記検知部からの信号に基づいて前記トナーボトルの回転速度が所定速度となるように前記駆動装置を制御する
ことを特徴とする請求項５に記載の画像形成装置。
【請求項７】
前記排出機構は、前記トナーボトルの回転軸方向に伸縮して前記排出部から前記所定量のトナーを排出するポンプ部と、前記ボトルギヤに入力される前記駆動力を前記トナーボトルの回転軸方向の運動に変換して前記ポンプ部に伝達するカム機構とを有し、
前記装着部に前記トナーボトルが装着された状態で前記ボトルギヤの回転動作に伴って前記ポンプ部の伸縮動作が実行されることにより、前記排出部から前記所定量のトナーを排出する
ことを特徴とする請求項５又は６に記載の画像形成装置。
【請求項８】
前記制御手段は、前記ボトルギヤに前記駆動力が入力されてから前記検知部が前記トナーボトルの回転に関する情報を前記所定回数検知した後、前記検知部からの信号に基づいて前記ポンプ部の１回の伸縮動作にかかる時間が所定時間となるように前記駆動装置を制御する
ことを特徴とする請求項７に記載の画像形成装置。
【請求項９】
トナーを用いて記録材に画像を形成する画像形成装置であって、
装置本体と、
駆動装置と、
制御手段と、
前記装置本体の装着部に装着可能であり、トナーを収容し、収容されたトナーを排出する排出部を有し、前記駆動装置から供給される駆動力により回転駆動されるトナーボトルと、
前記トナーボトルに設けられ、前記排出部が遮蔽される遮蔽位置と前記排出部が開放される開放位置との間で移動可能なシャッター部材と、
前記トナーボトルに設けられ、前記装着部に前記トナーボトルが装着された状態で前記駆動力が入力されるボトルギヤと、
前記装置本体に設けられ、前記装着部に前記トナーボトルが装着された状態で前記ボトルギヤの回転動作に伴って前記シャッター部材を前記遮蔽位置から前記開放位置に移動させるための移動機構と、
前記トナーボトルに設けられ、前記装着部に前記トナーボトルが装着された状態で前記ボトルギヤの回転動作に伴って前記排出部から所定量のトナーを排出するための排出機構と、
を備え、
前記制御手段は、前記移動機構が前記シャッター部材を前記遮蔽位置から前記開放位置に移動させるまでの間の、前記ボトルギヤに入力される前記駆動力の大きさよりも、前記移動機構が前記シャッター部材を前記遮蔽位置から前記開放位置に移動させた後、前記排出機構が前記排出部から前記所定量のトナーを最初に排出する際の、前記ボトルギヤに入力される前記駆動力の大きさの方が小さくなるように前記駆動装置を制御する
ことを特徴とする画像形成装置。
【請求項１０】
前記装置本体に設けられ、前記ボトルギヤに入力される前記駆動力を前記移動機構に伝達可能な駆動伝達機構を更に備え、
前記駆動伝達機構は、前記シャッター部材が前記遮蔽位置から前記開放位置に移動するまでの間は、前記ボトルギヤに入力される前記駆動力を前記移動機構に伝達し、前記シャッター部材が前記遮蔽位置から前記開放位置に移動した後は、前記ボトルギヤに入力される前記駆動力を前記移動機構に伝達しない
ことを特徴とする請求項１乃至９のいずれか１項に記載の画像形成装置。
【請求項１１】
前記駆動装置は、直流モータであり、
前記制御手段は、パルス幅変調信号を入力することにより、前記ボトルギヤに入力される前記駆動力の大きさを制御する
ことを特徴とする請求項１乃至１０のいずれか１項に記載の画像形成装置。
【請求項１２】
前記移動機構は、前記装置本体に設けられ、前記装着部に前記トナーボトルが装着された状態で前記ボトルギヤと噛み合い、前記ボトルギヤの回転動作に伴って回転駆動される駆動ギヤと、前記装置本体に設けられ、前記装着部に前記トナーボトルが装着された状態で前記シャッター部材と係合し、前記駆動ギヤの回転動作に伴って前記トナーボトルに対して相対移動する係合部材を有し、
前記トナーボトルが前記装着部に装着された状態において、前記係合部材は、前記駆動ギヤの回転動作に伴って前記シャッター部材が前記遮蔽位置から前記開放位置に移動するよう前記トナーボトルに対して相対移動することが可能である
ことを特徴とする請求項１乃至１１のいずれか１項に記載の画像形成装置。
【請求項１３】
前記トナーボトルが前記装着部に装着された状態において、前記係合部材は、前記駆動ギヤの回転動作に伴って前記シャッター部材が前記開放位置から前記遮蔽位置に移動するよう前記トナーボトルに対して相対移動することが制限されている
ことを特徴とする請求項１２に記載の画像形成装置。
【請求項１４】
前記装置本体に設けられ、前記係合部材に固定され、前記駆動ギヤの回転動作に伴ってスライド移動するウォームギヤを更に備え、
前記トナーボトルが前記装着部に装着された状態において、前記係合部材は、前記駆動ギヤの回転動作に伴って前記ウォームギヤと一体にスライド移動することにより、前記トナーボトルに対して相対移動する
ことを特徴とする請求項１２又は１３に記載の画像形成装置。
【手続補正２】
【補正対象書類名】明細書
【補正対象項目名】０００８
【補正方法】変更
【補正の内容】
【０００８】
本発明の一態様は、トナーを用いて記録材に画像を形成する画像形成装置であって、装置本体と、駆動装置と、制御手段と、前記装置本体の装着部に装着可能であり、トナーを収容し、収容されたトナーを排出する排出部を有し、前記駆動装置から供給される駆動力により回転駆動されるトナーボトルと、前記トナーボトルが所定回数回転したことに関する情報を検知する検知部と、前記トナーボトルに設けられ、前記排出部が遮蔽される遮蔽位置と前記排出部が開放される開放位置との間で移動可能なシャッター部材と、前記トナーボトルに設けられ、前記装着部に前記トナーボトルが装着された状態で前記駆動力が入力されるボトルギヤと、前記装置本体に設けられ、前記装着部に前記トナーボトルが装着された状態で前記ボトルギヤの回転動作に伴って前記シャッター部材を前記遮蔽位置から前記開放位置に移動させるための移動機構と、前記トナーボトルに設けられ、前記装着部に前記トナーボトルが装着された状態で前記ボトルギヤの回転動作に伴って前記排出部から所定量のトナーを排出するための排出機構と、を備え、前記制御手段は、前記ボトルギヤに前記駆動力が入力されてから、前記トナーボトルが前記所定回数回転したことに関する情報を前記検知部が検知するまでの間の、前記ボトルギヤに入力される前記駆動力の大きさよりも、前記ボトルギヤに前記駆動力が入力されてから、前記トナーボトルが前記所定回数回転したことに関する情報を前記検知部が検知した後、前記排出機構が前記排出部から前記所定量のトナーを最初に排出する際の、前記ボトルギヤに入力される前記駆動力の大きさの方が小さくなるように、前記駆動装置を制御することを特徴とする画像形成装置である。
本発明の他の態様は、トナーを用いて記録材に画像を形成する画像形成装置であって、装置本体と、駆動装置と、制御手段と、前記装置本体の装着部に装着可能であり、トナーを収容し、収容されたトナーを排出する排出部を有し、前記駆動装置から供給される駆動力により回転駆動されるトナーボトルと、前記トナーボトルの回転に関する情報を検知する検知部と、前記トナーボトルに設けられ、前記排出部が遮蔽される遮蔽位置と前記排出部が開放される開放位置との間で移動可能なシャッター部材と、前記トナーボトルに設けられ、前記装着部に前記トナーボトルが装着された状態で前記駆動力が入力されるボトルギヤと、前記装置本体に設けられ、前記装着部に前記トナーボトルが装着された状態で前記ボトルギヤの回転動作に伴って前記シャッター部材を前記遮蔽位置から前記開放位置に移動させるための移動機構と、前記トナーボトルに設けられ、前記装着部に前記トナーボトルが装着された状態で前記ボトルギヤの回転動作に伴って前記排出部から所定量のトナーを排出するための排出機構と、を備え、前記制御手段は、前記ボトルギヤに前記駆動力が入力されてから前記検知部が前記トナーボトルの回転に関する情報を所定回数検知するまでの間の、前記ボトルギヤに入力される前記駆動力の大きさよりも、前記ボトルギヤに前記駆動力が入力されてから前記検知部が前記トナーボトルの回転に関する情報を前記所定回数検知した後、前記排出機構が前記排出部から前記所定量のトナーを最初に排出する際の、前記ボトルギヤに入力される前記駆動力の大きさの方が小さくなるように前記駆動装置を制御することを特徴とする画像形成装置である。
本発明のさらに他の態様は、トナーを用いて記録材に画像を形成する画像形成装置であって、装置本体と、駆動装置と、制御手段と、前記装置本体の装着部に装着可能であり、トナーを収容し、収容されたトナーを排出する排出部を有し、前記駆動装置から供給される駆動力により回転駆動されるトナーボトルと、前記トナーボトルに設けられ、前記排出部が遮蔽される遮蔽位置と前記排出部が開放される開放位置との間で移動可能なシャッター部材と、前記トナーボトルに設けられ、前記装着部に前記トナーボトルが装着された状態で前記駆動力が入力されるボトルギヤと、前記装置本体に設けられ、前記装着部に前記トナーボトルが装着された状態で前記ボトルギヤの回転動作に伴って前記シャッター部材を前記遮蔽位置から前記開放位置に移動させるための移動機構と、前記トナーボトルに設けられ、前記装着部に前記トナーボトルが装着された状態で前記ボトルギヤの回転動作に伴って前記排出部から所定量のトナーを排出するための排出機構と、を備え、前記制御手段は、前記移動機構が前記シャッター部材を前記遮蔽位置から前記開放位置に移動させるまでの間の、前記ボトルギヤに入力される前記駆動力の大きさよりも、前記移動機構が前記シャッター部材を前記遮蔽位置から前記開放位置に移動させた後、前記排出機構が前記排出部から前記所定量のトナーを最初に排出する際の、前記ボトルギヤに入力される前記駆動力の大きさの方が小さくなるように前記駆動装置を制御することを特徴とする画像形成装置である。
【手続補正３】
【補正対象書類名】明細書
【補正対象項目名】００８５
【補正方法】変更
【補正の内容】
【００８５】
１Ｙ，１Ｍ，１Ｃ，１Ｋ…像担持体（感光ドラム）／４…シャッター部材（排出口シャッタ）／７…中間転写体（中間転写ベルト）／１５Ｙ，１５Ｍ，１５Ｃ，１５Ｋ…現像装置／２０ａ…ボトルギヤ（ギヤ部）／２０ｂ…ポンプ部／２０ｋ…収容部（円筒部）／２１ａ…排出口／２２…カム機構／２９…トナー濃度検知手段（濃度検出センサ）／３０…移動機構（解除装置）／３１…係合部材（スライド部材）／４０…駆動装置（駆動モータ）／４４…駆動伝達機構、駆動ギヤ（スライドギヤ）／４５…駆動伝達機構、ウォームギヤ／５０…制御手段（ＣＰＵ）／１００…画像形成装置／ＤＷ１…第１の初期入力値（第１デューティ比）／ＤＷ２…第２の初期入力値（第２デューティ比）／ＴＳ…検知手段（位相センサ）／ＴＹ，ＴＭ，ＴＣ，ＴＫ…収容容器（トナーボトル）／Ｓ…記録材